(57)【要約】【課題】包装装置において、密集設置される場合であっても作業性や安全性を確保する。【解決手段】包装装置９０は、フレーム１０と、製袋包装部３０と、アクセス遮断部材４１〜４３と、を備える。フレーム１０は、水平方向に延びる複数の梁１１ａ〜１１ｄを含む天井部１１、および、床から離間するように天井部１１を支持する複数の脚１２ａ〜１２ｄ、を含む。製袋包装部３０は、天井部１１の下方の空間である設置空間１５に設置される。アクセス遮断部材４１〜４３は、設置空間１５の内部の所定の部位への作業者のアクセスを遮断するように構成される。アクセス遮断部材４１〜４３は、折りたたみ扉を少なくとも含む。【選択図】図１
2018184194.tif 000002
【特許請求の範囲】
【請求項１】
水平方向に延びる複数の梁を含む天井部、および、床から離間するように前記天井部を支持する複数の脚、を含むフレームと、
前記天井部の下方の空間である設置空間に設置される製袋包装部と、
前記設置空間の内部の所定の部位への作業者のアクセスを遮断するように構成されたアクセス遮断部材と、
を備え、
前記アクセス遮断部材は、折りたたみ扉を少なくとも含む、
包装装置。
【請求項２】
前記折りたたみ扉は、少なくとも１つのヒンジ、および、前記ヒンジによって連結される複数の扉板、を含む、
請求項１に記載の包装装置。
【請求項３】
前記折りたたみ扉は、開けられたときに、前記複数の梁の前記１つから前記設置空間の外方へ突出する、
請求項１または２に記載の包装装置。
【請求項４】
前記折りたたみ扉は、開けられたときに、前記複数の梁の前記１つから前記設置空間の内方へ突出する、
請求項１または２に記載の包装装置。
【請求項５】
前記製袋包装部の動作についての前記作業者から指示を受け付ける操作盤、
をさらに備え、
前記折りたたみ扉は、前記複数の梁の１つに沿ってスライドする移動扉端、および、前記移動扉端の反対側にあり、前記複数の梁の前記１つに対してスライドしない非移動扉端、を有し、
前記操作盤は、側面視において、前記移動扉端に重なるように前記フレームに取り付けられている、
請求項１から４のいずれか１つに記載の包装装置。
【請求項６】
前記操作盤は、さらに、前記側面視において前記移動扉端に重ならない姿勢へ移行するように、前記フレームに対して移動または旋回することができる、
請求項５に記載の包装装置。
【請求項７】
前記フレームは、さらに、前記天井部に対して着脱可能な補助脚を含み、
前記補助脚は、前記移動扉端の近傍に位置するように前記天井部に取り付けることができる、
請求項５または６に記載の包装装置。
【請求項８】
前記天井部は、前記製袋包装部へ供給される物品を計量する計量機を載置できるように構成されている、
請求項１から７のいずれか１つに記載の包装装置。
【発明の詳細な説明】
【技術分野】
【０００１】
本発明は、包装装置に関する。
【背景技術】
【０００２】
スナック菓子などの物品は、袋で包装してから商品として出荷される。このような商品を製造するために、例えば特許文献１（実開昭６０−７００３７号公報）に開示されているような組合せ計量機と包装装置が用いられる。組合せ計量機は、物品を計量し、一定量の物品を取り分ける。包装装置は、組合せ計量機から落下する物品を受け取り、袋で包装し、完成した商品を排出する。
【発明の概要】
【発明が解決しようとする課題】
【０００３】
生産効率を向上させるため、限られた敷地面積の工場に多数の包装装置が設置されることがある。それによって、隣接する包装装置の間の空間が狭くなる場合、作業者が行うメンテナンス等の作業が阻害されたり、作業者の安全確保を妨げたりする場合がる。
【０００４】
本発明の課題は、包装装置において、密集設置される場合であっても作業性や安全性を確保することである。
【課題を解決するための手段】
【０００５】
本発明の第１観点に係る包装装置は、フレームと、製袋包装部と、アクセス遮断部材と、を備える。フレームは、水平方向に延びる複数の梁を含む天井部、および、床から離間するように天井部を支持する複数の脚、を含む。製袋包装部は、天井部の下方の空間である設置空間に設置される。アクセス遮断部材は、設置空間の内部の所定の部位への作業者のアクセスを遮断するように構成される。アクセス遮断部材は、折りたたみ扉を少なくとも含む。
【０００６】
この構成によれば、折りたたみ扉は折りたたむことができるので、開けられたときにフレームの外方空間へ突出する部分の寸法が小さい。したがって、フレームの外方空間が扉によって占有されにくいので、作業性や安全性が確保される。
【０００７】
本発明の第２観点に係る包装装置は、第１観点に係る包装装置において、折りたたみ扉が、少なくとも１つのヒンジ、および、ヒンジによって連結される複数の扉板、を含む。
【０００８】
この構成によれば、ヒンジが折りたたみ扉の折り曲げを可能にする。したがって、繰り返される折りたたみ動作に対する、折りたたみ扉の耐久性が確保される。
【０００９】
本発明の第３観点に係る包装装置は、第１観点または第２観点に係る包装装置において、折りたたみ扉が、開けられたときに、複数の梁の前記１つから設置空間の外方へ突出する。
【００１０】
この構成によれば、折りたたみ扉は開けられたときにフレームの内方には突出しない。したがって、折りたたみ扉が設置空間を占有しないので、製袋包装部のメンテナンス等の作業が阻害されにくい。
【００１１】
本発明の第４観点に係る包装装置は、第１観点または第２観点に係る包装装置において、折りたたみ扉が、開けられたときに、複数の梁の前記１つから設置空間の内方へ突出する。
【００１２】
この構成によれば、折りたたみ扉は開けられたときにフレームの外方には突出しない。したがって、複数の包装装置を近接して配置することが可能となるので、限られた設置面積により多くの包装装置を設置することができる。
【００１３】
本発明の第５観点に係る包装装置は、第１観点から第４観点のいずれか１つに係る包装装置において、製袋包装部の動作についての作業者から指示を受け付ける操作盤、をさらに備える。折りたたみ扉は、移動扉端、および、非移動扉端、を有する。移動扉端は、複数の梁の１つに沿ってスライドする。非移動扉端は、移動扉端の反対側にあり、複数の梁の前記１つに対してスライドしない。操作盤は、側面視において、移動扉端に重なるようにフレームに取り付けられている。
【００１４】
この構成によれば、操作盤は移動扉端の近傍に配置される。したがって、折りたたみ扉に代えて折りたたみ不可能な旋回式のドアを採用した場合であれば移動扉端の通過径路となりうる位置に、操作盤を設置することができるので、フレームの外方空間を有効に利用できる。
【００１５】
本発明の第６観点に係る包装装置は、第５観点に係る包装装置において、操作盤が、さらに、側面視において移動扉端に重ならない姿勢へ移行するように、フレームに対して移動または旋回することができる。
【００１６】
この構成によれば、操作盤が移動または旋回することができる。したがって、折りたたみ扉の開閉時に作業者がつかむことになる移動扉端を外方空間へ露出することができるので、折りたたみ扉の開閉動作が容易である。
【００１７】
本発明の第７観点に係る包装装置は、第５観点または第６観点に係る包装装置において、フレームが、さらに、天井部に対して着脱可能な補助脚を含む。補助脚は、移動扉端の近傍に位置するように天井部に取り付けることができる。
【００１８】
この構成によれば、補助脚を移動扉端の近傍に設置することができる。設置空間に製袋包装部が設置されておらず、作業者が設置空間にアクセスする必要がない場合には、作業者が移動扉端をつかむ機会はない。したがって、作業者が立ち入らない移動扉端の近傍に補助脚を設けることにより、フレームの安定性を増すことができる。
【００１９】
本発明の第８観点に係る包装装置は、第１観点から第７観点のいずれか１つに係る包装装置において、天井部が、製袋包装部へ供給される物品を計量する計量機を載置できるように構成されている。
【００２０】
この構成によれば、天井部には組合せ計量機が載置される。したがって、組合せ計量機は安定した構造を有するフレームによって安定的に支持される。
【発明の効果】
【００２１】
本発明に係る包装装置によれば、作業性や安全性が確保される。
【図面の簡単な説明】
【００２２】
【図１】本発明の一実施形態に係る包装装置９０の斜視図である。
【図２】包装装置９０に載置される組合せ計量機１１０の第１計量部１１１Ａを示す模式図である。
【図３】フレーム１０の斜視図である。
【図４】第１補助脚１８を取り付けたときのフレーム１０の斜視図である。
【図５】折りたたみ扉である第２アクセス遮断部材４２を示す側面模式図である。
【図６】折りたたみ扉である第２アクセス遮断部材４２の動きを示す平面模式図である。
【図７】包装装置９０の組み立て工程を示す図である。
【図８】包装装置９０の組み立て工程を示す図である。
【図９】包装装置９０の組み立て工程を示す図である。
【図１０】包装装置９０の組み立て工程を示す図である。
【図１１】包装装置９０のメンテナンスの作業を示す図である。
【図１２】製袋包装部３０の運搬を示す図である。
【図１３Ａ】製袋包装部３０の取り付け工程を示す図である。
【図１３Ｂ】製袋包装部３０の取り付け工程を示す図である。
【図１３Ｃ】製袋包装部３０の取り付け工程を示す図である。
【図１３Ｄ】製袋包装部３０の取り付け工程を示す図である。
【発明を実施するための形態】
【００２３】
（１）全体構成
図１は、本発明の一実施形態に係る包装装置９０を示す。包装装置９０の上には、組合せ計量機１１０が取り付けられている。包装装置９０と組合せ計量機１１０は、商品を製造する２つのライン、すなわち第１製造ラインと第２製造ラインを構成する。
【００２４】
（２）組合せ計量機１１０
包装装置９０の詳細構成を説明する前に、組合せ計量機１１０について説明する。組合せ計量機１１０は、粒状物、小片、その他の形状の物品を受け取って計量し、予め決められた重量の物品を包装装置９０へ送る動作を繰り返す。組合せ計量機１１０は、包装装置９０のフレーム１０に載置され、固定されている。組合せ計量機１１０は、第１製造ラインに属する第１計量部１１１Ａおよび第２製造ラインに属する第２計量部１１１Ｂを有する。
【００２５】
図２に示すように、第１計量部１１１Ａは、第１分散フィーダ１１２Ａ、複数の第１振動トラフ１１３Ａ、複数の第１ホッパ１１４Ａ、第１シュート１１８Ａを有する。物品は第１分散フィーダ１１２Ａの上に落下するように供給される。第１分散フィーダ１１２Ａは振動することによって物品を分散させ、複数の第１振動トラフ１１３Ａへ物品を送る。複数の第１振動トラフ１１３Ａは、第１分散フィーダ１１２Ａの周囲に放射状に配置されている。それぞれの第１振動トラフ１１３Ａは振動することにより、物品を対応する第１ホッパ１１４Ａへ送る。複数の第１ホッパ１１４Ａは、物品を貯留および排出することができる。各第１ホッパ１１４Ａには、貯留された物品の重量を検知するための重量センサが設けられている。第１ホッパ１１４Ａから排出された物品は第１シュート１１８Ａへ落下する。第１シュート１１８Ａには第１排出口１１９Ａが設けられている。第１シュート１１８Ａは、落下してきた物品を受け取り、第１排出口１１９Ａから排出する。
【００２６】
組合せ計量動作においては、まず、図示しない処理部が各第１ホッパ１１４Ａに貯留されている物品の重量を取得する。次に、複数の第１ホッパ１１４Ａの様々な組合せについて、処理部が貯留物の合計重量を算出する。次に、処理部は、予め決められた重量に最も近い重量を貯留している組合せを特定する。最後に、処理部は、特定した組合せに該当する複数の第１ホッパ１１４Ａに対して物品を排出する指示を与える。最後に、特定した組合せに含まれる複数の第１ホッパ１１４Ａの貯留物は、第１排出口１１９Ａから排出される。
【００２７】
図１に示す第２計量部１１１Ｂも、第１計量部１１１Ａと同様に、第２分散フィーダ１１２Ｂ、複数の第２振動トラフ１１３Ｂ、複数の第２ホッパ１１４Ｂ、第２シュート１１８Ｂを有する。第２シュート１１８Ｂには第２排出口１１９Ｂが設けられている。第２計量部１１１Ｂの動作も、第１計量部１１１Ａの動作と同様である。
【００２８】
（３）詳細構成
次に、包装装置９０の詳細構成について説明する。図１に示すように、包装装置９０は、フレーム１０、製袋包装部３０、アクセス遮断部材群４０、操作盤５０を有する。さらに、図７に示すように、包装装置９０は、金属検知部６０を有する。
【００２９】
（３−１）フレーム１０
図３に示すフレーム１０は、包装装置９０の各部を安定的に支持するためのものである。フレーム１０は、第１端Ｅ１から第２端Ｅ２までを占め、天井部１１と、脚部１２とを含む。天井部１１は、水平方向に延びる複数の梁１１ａ〜１１ｅを含む。天井部１１は、組合せ計量機１１０を載置できるように構成されている。脚部１２は、鉛直方向に延びる複数の脚を含む。脚部１２は、天井部１１を床から離間するように支持する。複数の脚には、それぞれ、当該脚の全高寸法を調節するための全高調節部１３が設けられている。全高調節部１３は、例えばジャッキボルトからなる。複数の脚は、天井部１１に対して固定された複数の固定脚１２ａ〜１２ｄを含む。複数の固定脚１２ａ〜１２ｄは、第１端Ｅ１の側に設けられた３本の第１端側固定脚１２ａ、１２ｃ、１２ｄ、および、第２端Ｅ２の側に設けられた１本の第２端側固定脚１２ｂを含む。
【００３０】
中央の梁１１ｃおよびその中央の梁１１ｃに接続する第１端側固定脚１２ａおよび第２端側固定脚１２ｂは中央平面ＣＰを規定する。中央平面ＣＰは、第１端Ｅ１および第２端Ｅ２の両方と交差し、かつ、鉛直方向にも広がっている。フレーム１０の構造は、中央平面ＣＰを基準として概ね対称である。
【００３１】
天井部１１の下方の空間は、製袋包装部３０を設置するための設置空間１５である。設置空間１５には、製袋包装部３０のメンテナンス作業などのために、作業者が入ることができる。中央平面ＣＰにより、設置空間１５は、第１設置空間１５Ａと第２設置空間１５Ｂに分割される。
【００３２】
図４に示すように、フレーム１０の脚部１２の複数の脚は、さらに、天井部１１に対して着脱可能な第１補助脚１８を含む。第１補助脚１８は、包装装置９０の組み立てやメンテナンスにおいて、必要に応じて天井部１１に取り付けることができる。さらに、図１１に示すように、脚部１２の複数の脚は、組み立て後のメンテナンスにおいて使用される着脱可能な第２補助脚１９も含む。第１端側固定脚１２ａ、１２ｃ、１２ｄ、第１補助脚１８、第２補助脚１９、および前記第２端側固定脚１２ｂは、この順で第１端Ｅ１に最も近いものから第２端Ｅ２に最も近いものとなるよう配列されている。
【００３３】
（３−２）製袋包装部３０
図１に戻り、製袋包装部３０は、フィルム部材から袋を作り、その中に物品を封入して包装する。製袋包装部３０もまた、第１製造ラインに属する第１製袋包装部３１Ａと、第２製造ラインに属する第２製袋包装部３１Ｂとを有する。第１製袋包装部３１Ａは、第１排出口１１９Ａから落下する物品を受け取るように、組合せ計量機１１０の第１計量部２１Ａの下方に設置されている。第２製袋包装部３１Ｂは、第２排出口１１９Ｂから落下する物品を受け取るように、組合せ計量機１１０の第２計量部２１Ｂの下方に設置されている。
【００３４】
（３−３）アクセス遮断部材群４０
アクセス遮断部材群４０は、設置空間１５の内部の所定の部位への作業者のアクセスを遮断するためのものである。アクセス遮断部材群４０は、第１アクセス遮断部材４１、第２アクセス遮断部材４２、第３アクセス遮断部材４３を含む。これらの部材は、遮断している空間が視認できるように、例えば透明な樹脂部材、または多数の孔を設けられた金属板などから形成されることが好ましい。
【００３５】
第１アクセス遮断部材４１は、中央平面ＣＰ（図３）に位置するようにフレーム１０に取り付けられている。第１アクセス遮断部材４１は、第２設置空間１５Ｂから第１製袋包装部３１Ａへのアクセスを遮断する。さらに、第１アクセス遮断部材４１は、第１設置空間１５Ａから第２製袋包装部３１Ｂへのアクセスを遮断する。
【００３６】
第２アクセス遮断部材４２は、折りたたみ扉として構成されている。１つの第２アクセス遮断部材４２が、作業者の第１設置空間１５Ａへのアクセスを許可または禁止するために、梁１１ａに取り付けられている。もう１つの第２アクセス遮断部材４２が、作業者の第２設置空間１５Ｂへのアクセスを許可または禁止するために、梁１１ｂに取り付けられている。
【００３７】
図５に示すように、第２アクセス遮断部材４２は、連結された複数の扉板からなる。扉板の連結はヒンジ４７によって行われる。第２アクセス遮断部材４２の幅方向に離間する両端のうち、一方は移動扉端４５ｅであり、他方は非移動扉端４６ｅである。移動扉端４５ｅは、梁１１ａまたは梁１１ｂに沿ってスライドする。非移動扉端４６ｅは、移動扉端４５ｅの反対側にあり、梁１１ａまたは梁１１ｂに対してスライドしない。複数の扉板のうち、移動扉端４５ｅを含むものは移動扉板４５であり、非移動扉端４６ｅを含むものは非移動扉板４６である。
【００３８】
図６に示すように、第２アクセス遮断部材４２は、移動扉端４５ｅが非移動扉端４６ｅに接近する開姿勢ＰＯと、移動扉端４５ｅが非移動扉端４６ｅから離間する閉姿勢ＰＣと、をとるように構成されている。第２アクセス遮断部材４２が開姿勢ＰＯをとるときには、作業者は設置空間１５にアクセスすることができる。第２アクセス遮断部材４２が閉姿勢ＰＣをとるときには、作業者は設置空間１５にアクセスすることができない。第２アクセス遮断部材４２は、開姿勢ＰＯにおいて、梁１１ａまたは梁１１ｂから設置空間１５の外方へ突出するように構成されている。すなわち、開姿勢において、ヒンジ４７は設置空間１５から離間し、梁１１ａまたは梁１１ｂよりも外方へ位置する。
【００３９】
第３アクセス遮断部材４３は、包装装置９０の第１端Ｅ１側に取り付けられ、作業者による第１端Ｅ１から設置空間１５へのアクセスを遮断する。
【００４０】
（３−４）操作盤５０
図１に戻り、操作盤５０は、製袋包装部３０の動作についての作業者から指示を受け付けるものである。操作盤５０もまた、第１製造ラインに属する第１操作盤５１Ａと、第２製造ラインに属する第２操作盤５１Ｂとを有する。
【００４１】
第１操作盤５１Ａは、第１製袋包装部３１Ａの動作についての指示を受け付ける。第２操作盤５１Ｂは、第２製袋包装部３１Ｂの動作についての指示を受け付ける。
【００４２】
操作盤５０を構成する第１操作盤５１Ａおよび第２操作盤５１Ｂは、フレーム１０に対して移動または旋回することができるように取り付けられる。通常時には、第１操作盤５１Ａおよび第２操作盤５１Ｂは、側面視において、第２アクセス遮断部材４２の移動扉端４５ｅに重なる姿勢をとる。一方メンテナンス時には、第１操作盤５１Ａおよび第２操作盤５１Ｂは移動または旋回させられ、側面視において、閉姿勢の第２アクセス遮断部材４２の移動扉端４５ｅに重ならない姿勢へ移行する。このとき、移動扉端４５ｅは外部空間に露出されるので、作業者は移動扉端４５ｅに容易に触れることができ、第２アクセス遮断部材４２の開閉が行いやすい。
【００４３】
（３−５）金属検知部６０
図７に示すように金属検知部６０は、組合せ計量機１１０から製袋包装部３０へ受け渡される物品の中に混入している金属異物を検知するためのものである。金属検知部６０は、第１製造ラインに属する第１金属検知部６１Ａ、および、第２製造ラインに属する第２金属検知部６１Ｂを有する。
【００４４】
（４）包装装置９０の組み立て
包装装置９０の組み立ては、以下の手順で行われる。
【００４５】
（４−１）フレーム１０の準備
図３に示すフレーム１０が準備される。
【００４６】
（４−２）第１補助脚１８の取り付け
図４に示すように、第１補助脚１８がフレーム１０の天井部１１に取り付けられる。このとき、天井部１１の水平配置が損なわれないように、第１補助脚１８の全高調節部１３が調節される。
【００４７】
（４−３）金属検知部６０の取り付け
図７に示すように、金属検知部６０がフレーム１０に取り付けられる。金属検知部６０の取り付けの後に、第１アクセス遮断部材４１が中央平面ＣＰ（図３）に位置するようにフレーム１０に取り付けられる。
【００４８】
（４−４）製袋包装部３０の取り付け
図８に示すように、製袋包装部３０を構成する第１製袋包装部３１Ａおよび第２製袋包装部３１Ｂが、フレーム１０の内部の第１設置空間１５Ａおよび第２設置空間１５Ｂへそれぞれ収容される。収容後は、図９に示す状態となる。
【００４９】
収容に際しては、図１２に示すように、第１製袋包装部３１Ａまたは第２製袋包装部３１Ｂを持ち上げて運搬するためのパレットジャッキＰＪが用いられる。まず、パレットジャッキＰＪの荷台を、第１製袋包装部３１Ａまたは第２製袋包装部３１Ｂのジャッキ受容部３９に差し込む。次に、パレットジャッキＰＪの荷台を上昇させ、第１製袋包装部３１Ａまたは第２製袋包装部３１Ｂの全高調節部３３を床から離す。次に、作業者がパレットジャッキＰＪを押すことにより、第１製袋包装部３１Ａまたは第２製袋包装部３１Ｂを設置空間１５へ収容する。この時、図１３Ａに示すように、フレーム１０の天井部１１と第１製袋包装部３１Ａまたは第２製袋包装部３１Ｂの支持部３２とは近接している。次に、図１３Ｂに示すように、パレットジャッキＰＪの荷台を下降させ、全高調節部３３を床に下ろす。次に、図１３Ｃに示すように、天井部１１と支持部３２の間隙に防振ゴム部材３４を挿入する。最後に、図１３Ｄに示すように、ボルト３５によって、支持部３２、防振ゴム部材３４、天井部１１を一緒に締結する。
【００５０】
（４−５）組合せ計量機１１０の取り付け
図１０に示すように、組合せ計量機１１０がフレーム１０の天井部１１に載置され、固定される。
【００５１】
（４−６）仕上げ
図１０に示す構成において、第１補助脚１８を取り外す。次いで、第２アクセス遮断部材４２および第３アクセス遮断部材がフレーム１０に取り付けられる。なお、図１０より、第１補助脚１８の位置は、第２アクセス遮断部材４２の移動扉端４５ｅの近傍に位置することが理解される。
【００５２】
以上の手順の結果、包装装置９０は図１に示した状態となる。これにて、組み立てが完了する。
【００５３】
（５）包装装置９０のメンテナンス
図１１は、包装装置９０のメンテナンスの様子を示す。第２製袋包装部３１Ｂが運転を続行している一方で、第１製袋包装部３１Ａはフレーム１０から取り外されている。天井部１１の荷重の支持を第１製袋包装部３１Ａの支持部３２に代わって行うために、第１補助脚１８だけでなく第２補助脚１９が、フレーム１０における第１設置空間１５Ａの側に取り付けられている。側面視において、第１補助脚１８および第２補助脚１９は、組合せ計量機１１０の重心を挟み込むように設置されている。
【００５４】
（６）特徴
（６−１）
第２アクセス遮断部材４２は折りたたむことができるので、開けられたときにフレーム１０の外方空間へ突出する部分の寸法が小さい。したがって、フレーム１０の外方空間が扉によって占有されにくいので、作業性や安全性が確保される。
【００５５】
（６−２）
ヒンジ４７が第２アクセス遮断部材４２の折り曲げを可能にする。したがって、繰り返される折りたたみ動作に対する、第２アクセス遮断部材４２の耐久性が確保される。
【００５６】
（６−３）
第２アクセス遮断部材４２は開けられたときにフレーム１０の内方には突出しない。したがって、第２アクセス遮断部材４２が設置空間１５を占有しないので、製袋包装部３０のメンテナンス等の作業が阻害されにくい。
【００５７】
（６−４）
操作盤５０は移動扉端４５ｅの近傍に配置される。したがって、第２アクセス遮断部材４２に代えて折りたたみ不可能な旋回式のドアを採用した場合であれば移動扉端の通過径路となりうる位置に、操作盤５０を設置することができるので、フレーム１０の外方空間を有効に利用できる。
【００５８】
（６−５）
操作盤５０が移動または旋回することができる。したがって、第２アクセス遮断部材４２の開閉時に作業者がつかむことになる移動扉端４５ｅを外方空間へ露出することができるので、第２アクセス遮断部材４２の開閉動作が容易である。
【００５９】
（６−６）
第１補助脚１８を移動扉端４５ｅの近傍に設置することができる。設置空間１５に製袋包装部３０が設置されておらず、作業者が設置空間１５にアクセスする必要がない場合には、作業者が移動扉端４５ｅをつかむ機会はない。したがって、作業者が立ち入らない移動扉端４５ｅの近傍に第１補助脚１８を設けることにより、フレーム１０の安定性を増すことができる。
【００６０】
（７）変形例
（７−１）第１変形例
上述の実施形態では、１つの第２アクセス遮断部材４２を構成する複数の扉板は移動扉板４５と非移動扉板４６の２つだけである。これに代えて、複数の扉板は、移動扉板４５と非移動扉板４６に加え、移動扉板４５と非移動扉板４６との間に設けられる３つ目およびそれ以上の扉板を含んでもよい。
【００６１】
この構成によれば、折りたたみ扉である第２アクセス遮断部材４２の開姿勢ＰＯにおいて、外方空間に突出する長さが短くなるので、複数の包装装置９０をさらに密集配置させることが容易である。
【００６２】
（７−２）第１変形例
上述の実施形態では、折りたたみ扉式の第２アクセス遮断部材４２は、開けられたときに、梁１１ａまたは梁１１ｂから設置空間１５の外方へ突出する。これに代えて、第２アクセス遮断部材４２は、開けられたときに、梁１１ａまたは梁１１ｂから設置空間１５の内方へ突出してもよい。
【００６３】
この構成によれば、第２アクセス遮断部材４２は開けられたときにフレーム１０の外方には突出しない。したがって、複数の包装装置９０を近接して配置することが可能となるので、限られた設置面積により多くの包装装置９０を設置することができる。
【符号の説明】
【００６４】
１０      フレーム
１１      天井部
１１ａ〜１１ｅ    梁
１２      脚部
１２ａ〜１２ｄ  固定脚
１５      設置空間
１８      第１補助脚
１９      第２補助脚
３０      製袋包装部
３１Ａ    第１製袋包装部
３１Ｂ    第２製袋包装部
３２      支持部
３３      全高調節部
３４      防振ゴム部材
３５      ボルト
３９      ジャッキ受容部
４０      アクセス遮断部材群
４１      第１アクセス遮断部材
４２      第２アクセス遮断部材
４３      第３アクセス遮断部材
４５      移動扉板
４５ｅ    移動扉端
４６      非移動扉板
４６ｅ    非移動扉端
４７      ヒンジ
５０      操作盤
６０      金属検知部
９０      包装装置
１１０      組合せ計量機
ＰＪ      パレットジャッキ
【先行技術文献】
【特許文献】
【００６５】
【特許文献１】実開昭６０−７００３７号公報
【図１】
2018184194.tif 000003
【図２】
2018184194.tif 000004
【図３】
2018184194.tif 000005
【図４】
2018184194.tif 000006
【図５】
2018184194.tif 000007
【図６】
2018184194.tif 000008
【図７】
2018184194.tif 000009
【図８】
2018184194.tif 000010
【図９】
2018184194.tif 000011
【図１０】
2018184194.tif 000012
【図１１】
2018184194.tif 000013
【図１２】
2018184194.tif 000014
【図１３Ａ】
2018184194.tif 000015
【図１３Ｂ】
2018184194.tif 000016
【図１３Ｃ】
2018184194.tif 000017
【図１３Ｄ】
2018184194.tif 000018